(57)【要約】【課題】可搬型ガス分析装置において、ポンプで生じる振動によってバイオセンサーが振動するのを抑制する。【解決手段】可搬型ガス分析装置１は、外部からガスを吸入するポンプ１４と、ポンプ１４により吸入したガスを水晶振動子の発振周波数の変化に基づいて分析するバイオセンサー１７と、ポンプ１４及びバイオセンサー１７を収容する筐体１１と、ポンプ１４と筐体１１の内側面との間に設けられており、かつポンプ１４で生じる振動によってバイオセンサー１７が振動するのを抑制する第１防振部材１５と、を有する。【選択図】図３
2020144080.tif 000002
【特許請求の範囲】
【請求項１】
外部からガスを吸入するポンプと、
前記ポンプにより吸入したガスを水晶振動子の発振周波数の変化に基づいて分析するバイオセンサーと、
前記ポンプ及び前記バイオセンサーを収容する筐体と、
前記ポンプと前記筐体の内側面との間に設けられており、かつ前記ポンプで生じる振動によって前記バイオセンサーが振動するのを抑制する第１防振部材と、
を有することを特徴とする可搬型ガス分析装置。
【請求項２】
前記筐体の内側面に固定されている第１板部と、
前記ポンプを固定するための第２板部と、
をさらに有し、
前記第１防振部材は、前記第１板部と前記第２板部との間に設けられていることを特徴とする、
請求項１に記載の可搬型ガス分析装置。
【請求項３】
前記バイオセンサーを搭載するための基板と、
前記第１板部と前記基板との間に設けられた第２防振部材と、
をさらに有することを特徴とする、
請求項２に記載の可搬型ガス分析装置。
【請求項４】
前記バイオセンサーの作動を制御する制御基板と、
前記第１板部と前記制御基板との間に設けられた第３防振部材と、
をさらに有することを特徴とする、
請求項２又は３に記載の可搬型ガス分析装置。
【請求項５】
前記バイオセンサーは、前記筐体の長手方向において、前記ポンプが固定されている側とは反対側に固定されていることを特徴とする、
請求項１から４のいずれか一項に記載の可搬型ガス分析装置。
【発明の詳細な説明】
【技術分野】
【０００１】
本発明は、可搬型ガス分析装置に関する。
【背景技術】
【０００２】
従来、可搬型ガス分析装置が用いられている。特許文献１には、外気を吸引するサンプリングポンプと、サンプリングされた空気中の特定のガスを検出するセンサーと、を有する可搬型ガス測定装置が開示されている。
【先行技術文献】
【特許文献】
【０００３】
【特許文献１】特開２００１−１２４６７０号公報
【発明の概要】
【発明が解決しようとする課題】
【０００４】
可搬型ガス分析装置でガスの計測を行っている時、ポンプで生じる振動によってセンサーが振動してしまう場合がある。この場合、ポンプで生じる振動によってセンサーが振動してしまうことで、センサーの計測結果に影響を及ぼしてしまうという問題が生じていた。
【０００５】
そこで、本発明はこれらの点に鑑みてなされたものであり、ポンプで生じる振動によってバイオセンサーが振動するのを抑制する可搬型ガス分析装置を提供することを目的とする。
【課題を解決するための手段】
【０００６】
本発明の第１の態様においては、外部からガスを吸入するポンプと、前記ポンプにより吸入したガスを水晶振動子の発振周波数の変化に基づいて分析するバイオセンサーと、前記ポンプ及び前記バイオセンサーを収容する筐体と、前記ポンプと前記筐体の内側面との間に設けられており、かつ前記ポンプで生じる振動によって前記バイオセンサーが振動するのを抑制する第１防振部材と、を有することを特徴とする可搬型ガス分析装置を提供する。
【０００７】
また、前記筐体の内側面に固定されている第１板部と、前記ポンプを固定するための第２板部と、をさらに有し、前記第１防振部材は、前記第１板部と前記第２板部との間に設けられていてもよい。また、前記バイオセンサーを搭載するための基板と、前記第１板部と前記基板との間に設けられた第２防振部材と、をさらに有していてもよい。
【０００８】
また、前記バイオセンサーの作動を制御する制御基板と、前記第１板部と前記制御基板との間に設けられた第３防振部材と、をさらに有していてもよい。また、前記バイオセンサーは、前記筐体の長手方向において、前記ポンプが固定されている側とは反対側に固定されていてもよい。
【発明の効果】
【０００９】
本発明によれば、可搬型ガス分析装置において、ポンプで生じる振動によってバイオセンサーが振動するのを抑制できるという効果を奏する。
【図面の簡単な説明】
【００１０】
【図１】本実施形態に係る可搬型ガス分析装置の外観を示す。
【図２】本実施形態に係る可搬型ガス分析装置の内側の状態を示す。
【図３】図２のＸ−Ｘ線断面図である。
【発明を実施するための形態】
【００１１】
［可搬型ガス分析装置１の概要］
図１は、本実施形態に係る可搬型ガス分析装置１の外観を示す図である。図２は、本実施形態に係る可搬型ガス分析装置１の内側の状態を示す図である。なお、図２は、可搬型ガス分析装置１の筐体１１の蓋部１１２が開かれた状態を示す図である。図３は、図２のＸ−Ｘ線断面図である。
【００１２】
可搬型ガス分析装置１は、例えば、屋外で使用される、可搬型のガスの分析を行う計測装置である。可搬型ガス分析装置１は、筐体１１、第１板部１２、第２板部１３、ポンプ１４、第１防振部材１５、基板１６、バイオセンサー１７、第２防振部材１８、制御基板１９、及び第３防振部材２０を有する。
【００１３】
筐体１１は、第１板部１２、第２板部１３、ポンプ１４、第１防振部材１５、基板１６、バイオセンサー１７、第２防振部材１８、制御基板１９、及び第３防振部材２０（以下、「構成機器」という。）を収容する。構成機器については、後述する。筐体１１は、例えば略直方体形状である。筐体１１は、例えば、輸送に耐えられる程度に丈夫であり、防水加工がされている。また、筐体１１は、例えば、航空機に手荷物として持ち込み可能な程度の大きさである。可搬型ガス分析装置１は、屋外で使用されるため、筐体１１は、筐体１１の内側に、ごみ及び埃等が侵入しづらい構造である。
【００１４】
筐体１１は、収容部１１１、蓋部１１２、把持部１１３、及び固定部１１４を有する。収容部１１１は、構成機器を収容する。蓋部１１２は、例えばヒンジ部を介して収容部１１１に対して開閉可能に取り付けられている。把持部１１３は、ユーザが手で把持する部位である。固定部１１４は、第１板部１２を収容部１１１に固定するための部位である。固定部１１４は、収容部１１１の内側面に設けられている。
【００１５】
第１板部１２は、筐体１１の内側面に固定されている部材である。第１板部１２は、例えば平板形状のアルミ板である。第１板部１２は、例えば、筐体１１の収容部１１１の縁の内側面に沿った、長方形状である。第１板部１２は、固定部１１４に固定されている。第１板部１２は、第１板部１２に形成されている穴と、固定部１１４に形成されている穴とに、ねじを挿入して締め付けることで、固定部１１４に固定されている。
【００１６】
第２板部１３は、ポンプ１４を固定するための部材である。第２板部１３は、例えば平板形状のアルミ板である。第２板部１３は、第１板部１２に第１防振部材１５を介して固定されている。
【００１７】
ポンプ１４は、外部からガスを吸入する。ポンプ１４は、外部からガスを吸入している時に振動する。ポンプ１４は、第２板部１３に固定されている。ポンプ１４は、例えば、ポンプ１４に設けられている固定部に形成されている穴と、第２板部１３に形成されている穴とに、ボルトを挿入して、当該挿入したボルトにナットを締め付けることで、第２板部１３に固定されている。ポンプ１４は、当該ボルト及びナットを取り外すことで、容易に交換可能である。
【００１８】
第１防振部材１５は、ポンプ１４と筐体１１の内側面との間に設けられている。具体的には、第１防振部材１５は、第１板部１２と第２板部１３との間に設けられている。第１防振部材１５は、例えばゲルブッシュ、ばね、ゴム等を含む。第１防振部材１５は、第２板部１３の振動が第１板部１２に伝達されにくくすることにより、ポンプ１４で生じる振動によってバイオセンサー１７が振動するのを抑制する。第１防振部材１５は、例えば４つ設けられているが、第１防振部材１５の数は任意である。可搬型ガス分析装置１は、このように、第１板部１２に接続されているバイオセンサー１７の振動が抑制されることで、バイオセンサー１７の計測結果に影響を及ぼしづらくすることができる。
【００１９】
基板１６は、バイオセンサー１７を搭載するための部材である。基板１６は、第１板部１２に第２防振部材１８を介して固定されている。
【００２０】
バイオセンサー１７は、ポンプ１４により吸入したガスを水晶振動子の発振周波数の変化に基づいて分析する。バイオセンサー１７は、基板１６に固定されている。バイオセンサー１７は、例えばポンプ１４の振動の影響を受けて振動することで、計測結果に誤差が生じてしまうおそれがある。そこで、バイオセンサー１７は、第１防振部材１５、第２防振部材１８、及び第３防振部材２０により、外部から加わる振動の影響を受けにくくなる態様で固定されている。バイオセンサー１７が固定されている態様の詳細については後述する。
【００２１】
第２防振部材１８は、第１板部１２と基板１６との間に設けられた部材である。第２防振部材１８は、第１防振部材１５と同様に、例えばゲルブッシュ、ばね、ゴム等を含む。第２防振部材１８は、第１板部１２の振動が基板１６に伝達されることを抑制する。第２防振部材１８は、例えば４つ設けられているが、第２防振部材１８の数は任意である。
【００２２】
このように、可搬型ガス分析装置１においては、第２防振部材１８が、第１板部１２と基板１６との間に設けられているので、ポンプ１４の振動に起因する基板１６の振動が抑制される。その結果、基板１６に固定されているバイオセンサー１７の振動もさらに抑制される。可搬型ガス分析装置１は、このように、基板１６に固定されているバイオセンサー１７の振動が抑制されることで、バイオセンサー１７の計測結果に影響を及ぼしづらくすることができる。
【００２３】
制御基板１９は、バイオセンサー１７の作動を制御する。制御基板１９は、第１板部１２に第３防振部材２０を介して固定されている。なお、制御基板１９は、バイオセンサー１７の作動を制御する制御基板、可搬型ガス分析装置１の電源を制御する電源制御基板、及び可搬型ガス分析装置１と外部の機器との通信を制御するインターフェース基板を含んでいてもよい。この場合、制御基板、電源制御基板、及びインターフェース基板は、例えば、高さ方向において、３段に重ねられた状態で、第１板部１２に第３防振部材２０を介して固定されている。
【００２４】
第３防振部材２０は、第１板部１２と制御基板１９との間に設けられた部材である。第３防振部材２０は、第１防振部材１５、及び第２防振部材１８と同様に、例えばゲルブッシュ、ばね、ゴム等を含む。第３防振部材２０は、第１板部１２の振動が制御基板１９に伝達されることを抑制する。第３防振部材２０は、例えば６つ設けられているが、第３防振部材２０の数は任意である。
【００２５】
可搬型ガス分析装置１においては、第３防振部材２０が、第１板部１２と制御基板１９との間に設けられているので、ポンプ１４の振動に起因する制御基板１９の振動が抑制される。可搬型ガス分析装置１は、ポンプ１４の振動に起因する制御基板１９の振動が抑制されることで、制御基板１９と接続されているバイオセンサー１７の振動をさらに抑制することができる。
【００２６】
また、バイオセンサー１７は、筐体１１の長手方向において、ポンプ１４が固定されている側とは反対側に固定されている。具体的には、バイオセンサー１７は、第１板部１２の長手方向において、ポンプ１４が固定されている側とは反対側に固定されている。ポンプ１４は、例えば、第１板部１２の長手方向における一方の端部に固定されている。また、バイオセンサー１７は、例えば、第１板部１２の長手方向におけるポンプ１４が固定されている側とは反対側の端部に固定されている。
【００２７】
可搬型ガス分析装置１においては、このように、バイオセンサー１７が、筐体１１の長手方向において、ポンプ１４が固定されている側とは反対側に固定されているので、バイオセンサー１７はポンプ１４から離れた位置に固定される。このように、バイオセンサー１７がポンプ１４から離れた位置に固定されるので、ポンプ１４の振動に起因するバイオセンサー１７の振動がさらに抑制される。
【００２８】
上記実施形態においては、ポンプ１４、バイオセンサー１７、及び制御基板１９は、第１板部１２に、それぞれ第１防振部材１５、第２防振部材１８、及び第３防振部材２０を介して固定されている構造を示したが、これに限定されない。ポンプ１４、バイオセンサー１７、及び制御基板１９は、例えば、筐体１１の内側面に、それぞれ第１防振部材１５、第２防振部材１８、及び第３防振部材２０を介して固定されていてもよい。
【００２９】
［本実施形態に係る可搬型ガス分析装置１による効果］
本実施形態に係る可搬型ガス分析装置１は、外部からガスを吸入するポンプ１４と、ポンプ１４により吸入したガスを水晶振動子の発振周波数の変化に基づいて分析するバイオセンサー１７と、ポンプ１４及びバイオセンサー１７を収容する筐体１１と、を有する。また、可搬型ガス分析装置１は、ポンプ１４と筐体１１の内側面との間に設けられており、かつポンプ１４で生じる振動によってバイオセンサー１７が振動するのを抑制する第１防振部材１５を有する。
【００３０】
可搬型ガス分析装置１においては、このように、第１防振部材１５が、ポンプ１４と筐体１１の内側面との間に設けられているので、ポンプ１４の振動に起因する筐体１１の内側面の振動が抑制される。その結果、筐体１１の内側面に接続されているバイオセンサー１７の振動も抑制される。可搬型ガス分析装置１は、このように、筐体１１の内側面に接続されているバイオセンサー１７の振動が抑制されることで、バイオセンサー１７の計測結果に影響を及ぼしづらくすることができる。
【００３１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００３２】
１・・・可搬型ガス分析装置
１１・・・筐体
１１１・・・収容部
１１２・・・蓋部
１１３・・・把持部
１１４・・・固定部
１２・・・第１板部
１３・・・第２板部
１４・・・ポンプ
１５・・・第１防振部材
１６・・・基板
１７・・・バイオセンサー
１８・・・第２防振部材
１９・・・制御基板
２０・・・第３防振部材
【図１】
2020144080.tif 000003
【図２】
2020144080.tif 000004
【図３】
2020144080.tif 000005